(57)【特許請求の範囲】
【請求項１】
中空状のハウジングに回転可能かつ軸線方向へ移動可能に保持された中空状の操作軸と、前記操作軸の回転動作を検出する回転検出手段と、を備えた回転型電気部品において、
前記ハウジングの底壁部に対向して配置された基部と、前記操作軸の中空部に位置する駆動部と、前記基部および前記駆動部を連結する互いに離間した複数の連結部と、を有する駆動部材を設け、前記基部が前記操作軸の軸線方向への押圧操作に伴って押圧されることにより、前記駆動部が当該駆動部と対向配置されたプッシュスイッチを駆動可能とするものであって、
前記プッシュスイッチは、前記ハウジングの前記底壁部の下部に配置されるとともに、固定接点を有する接点ケースと、前記固定接点に対向配置された可動接点と、から構成され、前記接点ケースは、前記ハウジングに積層されるとともに前記駆動部材の前記基部が配置される外周部と、前記駆動部に対応して設けられ前記固定接点が配置される接点保持部と、前記外周部および前記接点保持部を連結する互いに離間した複数の第２連結部と、を有することを特徴とする回転型電気部品。
【請求項２】
中空状のハウジングに回転可能かつ軸線方向へ移動可能に保持された中空状の操作軸と、前記操作軸の回転動作を検出する回転検出手段と、を備えた回転型電気部品において、
前記ハウジングの底壁部に対向して配置された基部と、前記操作軸の中空部に位置する駆動部と、前記基部および前記駆動部を連結する互いに離間した複数の連結部と、を有する駆動部材を設け、前記基部が前記操作軸の軸線方向への押圧操作に伴って押圧されることにより、前記駆動部が当該駆動部と対向配置されたプッシュスイッチを駆動可能とするものであって、
前記基部は、前記ハウジングの底面側に設けられた収納部に配置されているとともに、前記ハウジングに設けられた取付部材の脚部で、前記軸線方向の前記プッシュスイッチ側への動きが規制されていることを特徴とする回転型電気部品。
【請求項３】
前記基部は環状をなし、前記操作軸の軸線方向に移動可能であることを特徴とする請求項１または請求項２記載の回転型電気部品。
【請求項４】
前記基部に、前記操作軸の軸線方向へ突出する複数の凸部を設け、前記凸部が前記操作軸の押圧操作に伴って押圧されることを特徴とする請求項１から請求項３のいずれかに記載の回転型電気部品。
【請求項５】
前記凸部が、前記連結部に対応した位置に設けられていることを特徴とする請求項４記載の回転型電気部品。
【請求項６】
前記固定接点と導通するリード端子が前記第２連結部に埋設されており、前記リード端子の一部が前記接点ケースの外部に導出していることを特徴とする請求項１記載の回転型電気部品。
【請求項７】
前記接点ケースは、前記ハウジングに設けられた取付部材の脚部で保持されていることを特徴とする請求項１または請求項６記載の回転型電気部品。
【請求項８】
前記駆動部の先端に、弾性部材を設けることを特徴とする請求項２記載の回転型電気部品。
【請求項９】
前記プッシュスイッチは、前記ハウジングが搭載されるプリント基板に実装されることを特徴とする請求項２または請求項８記載の回転型電気部品。
【請求項１０】
前記連結部は、アーチ状であることを特徴とする請求項１から請求項９のいずれかに記載の回転型電気部品。
【発明の詳細な説明】
【技術分野】
【０００１】
本発明は、押圧操作用のプッシュスイッチを駆動可能な回転型電気部品に関する。
【背景技術】
【０００２】
従来のプッシュスイッチ付き回転型電気部品は、回転可能かつ軸線方向へ往復動可能な操作軸を中央部に組み込むことにより、操作軸の回転操作に伴って回転検出手段（エンコーダや可変抵抗器）において操作軸の回転情報を検出し、軸線方向への押圧操作に伴ってプッシュスイッチを押圧駆動するよう構成されている。また、このような回転型電気部品において、中空状の軸受け部を有するハウジングを構成部材として用いることにより、軸受け部の内周側に照光用の発光ダイオードや他の電子部品を配置することを可能として、電子部品の実装自由度を向上することが提案されている（例えば、特許文献１参照）。
【先行技術文献】
【特許文献】
【０００３】
【特許文献１】特開２００８−１１２９７５号公報
【発明の概要】
【発明が解決しようとする課題】
【０００４】
しかしながら、従来の回転型電気部品では、押圧操作時に操作軸が傾いた状態で押し込まれても確実にプッシュスイッチを押圧駆動できるよう、複数のプッシュスイッチを略等間隔に配設する構成としていたため、押圧操作時にこれらのプッシュスイッチにおけるメタルコンタクト反転のタイミングが同期せず、クリック感触が重複し良好な操作感が得られないという問題があった。
【０００５】
本発明は、かかる点に鑑みてなされたものであり、操作者が良好な操作感を得ることができる回転型電気部品を提供することを目的とする。
【課題を解決するための手段】
【０００６】
本発明の回転型電気部品は、中空状のハウジングに回転可能かつ軸線方向へ移動可能に保持された中空状の操作軸と、前記操作軸の回転動作を検出する回転検出手段と、を備えた回転型電気部品において、前記ハウジングの底壁部に対向して配置された基部と、前記操作軸の中空部に位置する駆動部と、前記基部および前記駆動部を連結する互いに離間した複数の連結部と、を有する駆動部材を設け、前記基部が前記操作軸の軸線方向への押圧操作に伴って押圧されることにより、前記駆動部が当該駆動部と対向配置されたプッシュスイッチを駆動可能とするものであって、前記プッシュスイッチは、前記ハウジングの前記底壁部の下部に配置されるとともに、固定接点を有する接点ケースと、前記固定接点に対向配置された可動接点と、から構成され、前記接点ケースは、前記ハウジングに積層されるとともに前記駆動部材の前記基部が配置される外周部と、前記駆動部に対応して設けられ前記固定接点が配置される接点保持部と、前記外周部および前記接点保持部を連結する互いに離間した複数の第２連結部と、を有することを特徴とする。
【０００７】
この回転型電気部品によれば、駆動部材における駆動部と対向してプッシュスイッチが１つだけ配置されているため、押圧操作の際にクリック感触が重複することなく、操作者が良好な操作感を得ることが可能となる。また、駆動部材における基部および駆動部を連結する複数の連結部は互いに離間しているため、中空状のハウジングにおける内周側に駆動部材を設けたとしても、回転型電気部品が実装されるプリント基板における連結部間に対応する位置に、照光用の発光ダイオードや他の電子部品を配置することができ、電子部品の実装自由度を保つことが可能となる。さらに、接点ケースと可動接点とから構成されるプッシュスイッチを回転型電気部品に内蔵することができるので、回転型電気部品の取り扱いを容易にすることが可能となる。なお、駆動部材は、操作軸の軸線方向に対して全体が移動せず、片持ち梁状に基部の一端部のみが移動する構成も含まれる。
【０００８】
また、上記回転型電気部品において、前記基部は環状をなし、前記操作軸の軸線方向に移動可能であることが考えられる。この場合には、基部が環状をなしていることから、駆動部材の強度を高めることができるとともに、駆動部材全体をバランス良く操作軸の軸線方向に対して移動させることができるため、駆動部材の長寿命化を図ることが可能となる。
【０００９】
さらに、上記回転型電気部品において、前記基部に、前記操作軸の軸線方向へ突出する複数の凸部を設け、前記凸部が前記操作軸の押圧操作に伴って押圧されることが考えられる。この場合には、駆動部材における基部に設けられた凸部が操作軸の押圧操作に伴って押圧されるため、回転する操作軸と基部との摺接面積を減らすことができ、回転トルクへの影響を低減させることが可能となる。
【００１０】
さらに、上記回転型電気部品において、前記凸部が、前記連結部に対応した位置に設けられていることが考えられる。この場合には、操作軸の押圧操作に伴って凸部が押圧された際に、凸部から駆動部へ押圧力を確実に伝達することが可能となる。
【００１２】
さらに、上記回転型電気部品において、前記固定接点と導通するリード端子が前記第２連結部に埋設されており、前記リード端子の一部が前記接点ケースの外部に導出していることが考えられる。この場合には、接点ケースにおける第２連結部にリード端子が埋設されているため、第２連結部の強度を向上することが可能となる。また、回転型電気部品におけるスペース効率を向上することが可能となる。
【００１３】
さらに、上記回転型電気部品において、前記接点ケースは、前記ハウジングに設けられた取付部材の脚部で保持されていることが考えられる。この場合には、接点ケースを、ハウジングに精度よく位置決めして保持することが可能となる。
【００１５】
あるいは、本発明の回転型電気部品は、中空状のハウジングに回転可能かつ軸線方向へ移動可能に保持された中空状の操作軸と、前記操作軸の回転動作を検出する回転検出手段と、を備えた回転型電気部品において、前記ハウジングの底壁部に対向して配置された基部と、前記操作軸の中空部に位置する駆動部と、前記基部および前記駆動部を連結する互いに離間した複数の連結部と、を有する駆動部材を設け、前記基部が前記操作軸の軸線方向への押圧操作に伴って押圧されることにより、前記駆動部が当該駆動部と対向配置されたプッシュスイッチを駆動可能とするものであって、前記基部は、前記ハウジングの底面側に設けられた収納部に配置されているとともに、前記ハウジングに設けられた取付部材の脚部で、前記軸線方向の前記プッシュスイッチ側への動きが規制されていることを特徴とする。この場合には、部品点数を増やすことなく、駆動部材の脱落を防止することが可能となる。
【００１６】
また、上記回転型電気部品において、前記駆動部の先端に、弾性部材を設けることが好ましい。この場合には、初期状態の回転型電気部品において、駆動部の先端に設けられた弾性部材がプッシュスイッチに荷重を加えてプッシュスイッチに与圧を掛けることができ、実装時のがたつきを防止することが可能となる。
【００１７】
さらに、上記回転型電気部品において、前記プッシュスイッチは、前記ハウジングが搭載されるプリント基板に実装されることが考えられる。この場合には、プッシュスイッチは回転型電気部品とは別部材となるため、プッシュスイッチを変更することにより、感触違いや作動力違いなどのバラエティ対応を容易にすることが可能となる。
【００１８】
さらに、上記回転型電気部品において、前記連結部は、アーチ状であることが考えられる。この場合には、連結部が高い剛性を有する形状であるため、操作軸の押圧操作により荷重が加わっても変形しにくく、駆動部材の長寿命化を図ることが可能となる。
【発明の効果】
【００１９】
本発明によれば、操作者が良好な操作感を得ることができる回転型電気部品を提供することができる。
【図面の簡単な説明】
【００２０】
【図１】第１の実施の形態に係る回転型電気部品を前方から見たときの分解斜視図である。
【図２】第１の実施の形態に係る回転型電気部品を後方から見たときの分解斜視図である。
【図３】第１の実施の形態に係る回転型電気部品を組み立てた状態の斜視図である。
【図４】第１の実施の形態に係る回転型電気部品を組み立てた状態の正面図である。
【図５】第１の実施の形態に係る回転型電気部品を組み立てた状態の断面図である。
【図６】第２の実施の形態に係る回転型電気部品を前方から見たときの分解斜視図である。
【図７】第２の実施の形態に係る回転型電気部品を後方から見たときの分解斜視図である。
【図８】第２の実施の形態に係る回転型電気部品を組み立てた状態の斜視図である。
【図９】第２の実施の形態に係る回転型電気部品を組み立てた状態の断面図である。
【発明を実施するための形態】
【００２１】
（第１の実施の形態）
以下、本発明の実施の形態について添付図面を参照して詳細に説明する。
本発明の実施の形態に係る回転型電気部品は、例えば、パーソナルオーディオのスイッチ等に好適なスイッチ装置として利用可能である。
【００２２】
図１は、本発明の一実施の形態に係る回転型電気部品１を前方から見たときの分解斜視図である。図２は、本実施の形態に係る回転型電気部品１を後方から見たときの分解斜視図である。なお、以下においては、説明の便宜上、図１に示す左下方側を「回転型電気部品１の前方側」と呼び、図１に示す右上方側を「回転型電気部品１の後方側」と呼ぶものとする。また、図１、図２に示す上下方向を「回転型電気部品１の上下方向」と呼ぶものとする。
【００２３】
図１に示すように、本実施の形態に係る回転型電気部品１は、接点ケース２と、プッシュスイッチを構成する中央固定接点２０７、外部固定接点２０８および可動接点３と、プッシュスイッチを押圧駆動する駆動部材４と、中空状の軸受け部５０２を有するハウジング５と、操作軸８にスプライン結合する回転体６と、回転体６の後方面に取り付けられた一対の摺動子片７と、軸受け部５０２の外周部に回転可能に保持される操作軸８と、一対のローラ１０を保持して回転体６に弾接させる板ばね９と、ハウジング５および接点ケース２を抱持する取付部材１１と、を含んで構成される。
【００２４】
接点ケース２は、合成樹脂などの絶縁体で形成され、概して円環形状を有する外周部２０１と、外周部の周囲を囲む前方側に突出する側壁部２０２と、外周部２０１の中心に設けられた円形状の接点保持部２０３と、外周部２０１および接点保持部２０３を連結する直線状の連結部２０４と、から構成される。外周部２０１および側壁部２０２は、収容凹部２０５を形成している。側壁部２０２の外周側には、後述する取付部材１１の保持脚片１１２と係合する複数本（本実施の形態において４本）の係合溝２０２ａが設けられている。また、接点ケース２の後方側の面には、係合溝２０２ａに係合した保持脚片１１２の保持片１１２ａが係合する複数個（本実施の形態において４つ）の係合部２０２ｂが設けられている（図２参照）。連結部２０４は、接点保持部２０３の周方向に略等間隔に複数本（本実施の形態において４本）形成されている。外周部２０１の前方側内周において、２本の連結部２０４に挟まれた中間位置には、それぞれ前方側に突出する凸部２０６が形成されている。
【００２５】
また、接点保持部２０３の前方側には、導電性を有する金属板からなる中央固定接点２０７および外部固定接点２０８が配設されている。これらの中央固定接点２０７または外部固定接点２０８から導出してリード端子２０９が設けられている。リード端子２０９の上端部には、後方側に延出する外部接続部２０９ａが設けられている。リード端子２０９は、接点ケース２の外周部２０１および連結部２０４に埋設され、中央固定接点２０７、外部固定接点２０８のみが接点保持部２０３の前面から露出する。連結部２０４にリード端子２０９が埋設されることにより、連結部２０４の強度を向上することが可能となる。また、回転型電気部品１におけるスペース効率を向上することが可能となる。なお、図１、図２においては、説明の便宜上、埋設される前の状態の中央固定接点２０７、外部固定接点２０８およびリード端子２０９について示している。
【００２６】
接点保持部２０３には、可動接点３が、中央固定接点２０７および外部固定接点２０８に対向して配置される。可動接点３は、円形状のメタルコンタクト３０１と、円環形状のシール３０２と、から構成される。メタルコンタクト３０１は、導電性を有する金属薄板からなり、その中央がわずかに前方側にふくらんだドーム形状を有している。メタルコンタクト３０１の外径は、接点保持部２０３の外径よりも小さく形成されている。メタルコンタクト３０１は、周縁部を外部固定接点２０８に接触した状態で配設されるとともに、その中央部を中央固定接点２０７に対向させた状態で配設される。そして、後述する操作軸８に対する押圧操作に応じて弾性を有するメタルコンタクト３０１が反転し、中央固定接点２０７と接触するように構成されている。また、操作軸８が押圧操作から解放されると、メタルコンタクト３０１は弾性復帰して元の状態に戻る。シール３０２は、その外径が接点保持部２０３の外径よりもわずかに小さく形成され、その内径がメタルコンタクト３０１の中央部の外径と略同径に形成されている。シール３０２は、メタルコンタクト３０１の周縁部と接点保持部２０３の一部を覆うように配設される。このような可動接点３と、中央固定接点２０７および外部固定接点２０８とで、回転型電気部品１におけるプッシュスイッチが構成される。
【００２７】
駆動部材４は、合成樹脂などの絶縁体で形成され、概して環状をなしている。駆動部材４は、円周の一部を構成する弧形状を有し互いに分離している基部４０１と、基部４０１の中心に設けられた略円盤状の駆動部４０２と、基部４０１および駆動部４０２を連結する前方側に凸なアーチ状の連結部４０３と、から構成される。駆動部材４は、後方側の面を接点ケース２の外周部２０１に対向させた状態で、収容凹部２０５内に配置される。連結部４０３は、駆動部４０２の周方向に略等間隔に複数本（本実施の形態において４本）形成されている。基部４０１の前方側内周において、連結部４０３に対応する位置には、それぞれ前方側に突出する凸部４０４が形成されている。また、基部４０１の前方側内周において、２本の連結部４０３に挟まれた中間位置には、それぞれ係合部４０５が形成されている。この係合部４０５は、接点ケース２における凸部２０６に設けられた孔部とスナップ係合する。この構成により、駆動部材４は操作軸８の回転操作に伴って回転しないよう、回転規制される。一方、係合部４０５は、凸部２０６の孔部と前後方向にクリアランスを有した状態でスナップ係合しているため、そのクリアランスの範囲内で駆動部材４は前後方向への移動が許容されている。また、駆動部４０２の後方側中心には、後方側に突出する押圧部４０６が形成されている（図２参照）。
【００２８】
ハウジング５は、合成樹脂などの絶縁体で形成され、中央に前後方向に貫通した中空状の貫通孔５０１が設けられている。貫通孔５０１の前方側の外面側は略円筒形状の軸受け部５０２を構成する一方、貫通孔５０１の後方側の外面側には有底状で前方側が開口された環状の収納部５０３が設けられている。収納部５０３の外周壁部には、後述する取付部材１１の保持脚片１１２と係合する複数本（本実施の形態において４本）の係合溝５０３ａが設けられている。係合溝５０３ａの後方側には、径方向外側に突出する爪部５０３ｂが設けられている。爪部５０３ｂは、後述する保持脚片１１２のスナップ孔１１２ｂとスナップ係合する。貫通孔５０１の周囲には、駆動部材４の凸部４０４が挿通される挿通孔５０４が形成されている。また、ハウジング５の後方側であって、貫通孔５０１の周囲には、後方側に突出する係止片５０５が形成されている（図２参照）。係止片５０５は、それぞれ挿通孔５０４に隣接して設けられている。係止片５０５には、その中央位置の前方側に、矩形状の溝部５０５ａが形成され、後方側に、溝部５０５ａより幅広の矩形状の溝部５０５ｂが形成されている。この溝部５０５ａには、駆動部材４の連結部４０３がはめ込まれ、溝部５０５ｂには、接点ケース２の連結部２０４がはめ込まれる。収納部５０３の内底面には、導電性の金属板からなる導電パターン５０６が埋設されている。また、ハウジング５の後方側には、この導電パターン５０６から導出された外部端子５０６ａが延出している（図２参照）。
【００２９】
回転体６は、合成樹脂などの絶縁体で形成され、概して円環形状を有している。回転体６には、中央に大径の開口部６０１が形成されている。回転体６は、後方側の面をハウジング５における収納部５０３の表面に対向させた状態で、収納部５０３に配置される。回転体６の開口部６０１の内周面には、複数本（本実施の形態において４本）の係合溝６０２と、複数本（本実施の形態において４本）の凹部６０３が設けられている。この係合溝６０２は、後述する操作軸８のガイド片８０４と係合し、凹部６０３は、操作軸８の係合片８０５と係合する。これらの係合により、回転体６は、操作軸８とスプライン結合するように構成されている。すなわち、回転体６は、操作軸８と一体的に回転するとともに、操作軸８の軸線方向の移動を許容する構成となっている。また、回転体６の前方側の面には、後述する板ばね９に保持されたローラ１０が弾接することにより、回転体６が回転する際のクリック感触を生起させる複数の凹凸部からなるクリックカム６０４が形成されている。
【００３０】
また、回転体６の後端部には、導電性の金属薄板からなる複数個（本実施の形態において２つ）の摺動子片７が固着されている。この摺動子片７は、それぞれ複数個の接片７０１を有している。接片７０１は、後方側に折り曲げられており、後述するように回転体６がハウジング５の収納部５０３に収納された状態において、その先端部が導電パターン５０６と接触する。なお、本実施の形態に係る回転型電気部品１においては、回転体６、摺動子片７および導電パターン５０６とで回転検出手段が構成されている。
【００３１】
操作軸８は、合成樹脂などの絶縁体で形成され、中空状の略円筒形状を有している。操作軸８は、基台部８０１と、この前端側に基台部８０１より細径の軸部８０２と、を有している。また、基台部８０１および軸部８０２の中央には、前後に貫通した中空状の挿通孔８０３が設けられている。この挿通孔８０３は、ハウジング５における軸受け部５０２の外周部に回転可能に保持される。軸部８０２の外周面には、基台部８０１から前方側に軸部８０２の前端部付近まで延在する複数本（本実施の形態において４本）のガイド片８０４が設けられている。これらのガイド片８０４は、回転体６の係合溝６０２と係合し、装着時における回転体６をガイドする。また、軸部８０２の外周面には、基台部８０１からわずかに前方側に延在する複数個（本実施の形態において４つ）の係合片８０５が設けられている。これらの係合片８０５は、回転体６の凹部６０３と係合し、操作軸８の回転を回転体６に伝達する。さらに、係合片８０５の前方側には、一定距離を挟んで複数個（本実施の形態において４つ）の爪部８０６が設けられている。これらの爪部８０６は、操作軸８に取り付けられる図示しない操作つまみなどの開口部と係合し、操作つまみなどを保持するものである。
【００３２】
板ばね９は、弾性を有する金属板（例えば、ステンレスやリン青銅など）で形成され、概して円環形状を有している。板ばね９は、その後方側の面が回転体６のクリックカム６０４に対応する位置に配設される。板ばね９には、中央に中空状の挿通孔９０１が設けられている。挿通孔９０１は、操作軸８における軸部８０２よりわずかに大径に設けられている。また、板ばね９における所定位置には、一対のローラ保持部９０２が設けられている。ローラ保持部９０２は、ローラ１０が有するシャフト１０１を回転可能に保持することで、ローラ１０を回転可能に保持する。また、板ばね９における一対のローラ保持部９０２の中間位置には、一対の取付部９０３が設けられている。この取付部９０３は、取付部材１１に固定される。
【００３３】
取付部材１１は、金属板に打ち抜き加工および折り曲げ加工を施して形成される。取付部材１１は、円環形状の上板部１１１と、この上板部１１１から後方側に向けて直角に延出する複数本（本実施の形態において４本）の保持脚片１１２と、同じく上板部１１１から後方側に向けて直角に延出する複数本（本実施の形態において６本）の係合脚片１１３と、から構成される。また、取付部材１１には、中央に中空状の挿通孔１１４が設けられている。挿通孔１１４は、操作軸８における軸部８０２よりわずかに大径に設けられている。保持脚片１１２は、組み立てられる際に後方側の先端部が径方向内側に折り曲げられる保持片１１２ａと、略矩形状にくり抜かれて形成されたスナップ孔１１２ｂと、を有している。
【００３４】
続いて、本実施の形態に係る回転型電気部品１を組み立てた状態について説明する。図３は、本実施の形態に係る回転型電気部品１を組み立てた状態の斜視図である。図４は、本実施の形態に係る回転型電気部品１を組み立てた状態の正面図である。図５は、本実施の形態に係る回転型電気部品１を組み立てた状態の断面図である。なお、図３から図５においては、操作軸８に操作を受けていない初期状態の回転型電気部品１について示している。
【００３５】
図３に示すように、このような構成の回転型電気部品１を組み立てると、接点ケース２の前方側にハウジング５が重ね合わされ、これらの接点ケース２およびハウジング５に操作軸８を収容した状態でハウジング５の前方側から取付部材１１が取り付けられる。この場合において、接点ケース２の収容凹部２０５には、駆動部材４が収容されている。一方、ハウジング５の収納部５０３には、回転体６および板ばね９が収容されている。操作軸８の軸部８０２は、取付部材１１の挿通孔１１４から前方側に向けて露出した状態となっている。取付部材１１の保持脚片１１２は、ハウジング５の係合溝５０３ａおよび接点ケース２の係合溝２０２ａと係合し、スナップ孔１１２ｂと爪部５０３ｂとがスナップ係合している。この構成により、接点ケース２を、ハウジング５に精度よく位置決めして保持することが可能となる。
【００３６】
図４に示すように、軸受け部５０２に包囲された内方空間（貫通孔５０１）には、接点ケース２、可動接点３および駆動部材４が位置している。この場合において、接点ケース２の連結部２０４と駆動部材４の連結部４０３とは重なっている。また、接点保持部２０３と駆動部４０２とは、可動接点３を介して重なっている。このように、駆動部材４における複数の連結部４０３または接点ケース２における複数の連結部２０４は互いに離間しているため、ハウジング５における中空状の軸受け部５０２の内周側に接点ケース２や駆動部材４を設けたとしても、回転型電気部品１が実装されるプリント基板の連結部４０３（連結部２０４）間に対応する位置に、照光用の発光ダイオードや他の電子部品を配置することができ、電子部品の実装自由度を向上することが可能となる。
【００３７】
図５においては、駆動部材４における連結部４０３に沿って切断した場合の断面図を示している。また、図５においては、同図に示す右方側が回転型電気部品１の後方側に対応し、同図に示す左方側が回転型電気部品１の前方側に対応する。
【００３８】
図５に示すように、ハウジング５は、接点ケース２における収容凹部２０５の開口部を閉じるように接点ケース２に重ねられている。そして、この収容凹部２０５に駆動部材４が配設されている。駆動部材４の後方側（図５に示す右方側）には、押圧部４０６に対向して可動接点３が配置されており、この可動接点３の付勢力により駆動部材４が前方側（図５に示す左方側）に付勢されている。この場合において、駆動部材４の凸部４０４は、ハウジング５における挿通孔５０４に挿通され、その前端部が操作軸８における基台部８０１の後方側の面と当接している。この駆動部材４において凸部４０４のみが操作軸８と当接するという構成により、操作軸８に対する回転操作時において、回転する操作軸８と駆動部材４における基部４０１との摺接面積を減らすことができ、回転トルクへの影響を低減させることが可能となる。また、基部４０１の前方側の面は、ハウジング５の後方側の壁部（底壁部）と当接しており、このハウジング５の底壁部が駆動部材４の受け部材を構成している。すなわち、可動接点３によって前方側に付勢された駆動部材４の動き（操作軸８の軸線方向の動き）が、ハウジング５の底壁部からなる受け部材によって規制（制限）されている。
【００３９】
また、連結部４０３の径方向外側端部は、ハウジング５における係止片５０５に形成された溝部５０５ａに係合している。一方、接点ケース２における連結部２０４の径方向外側端部は、係止片５０５に形成された溝部５０５ｂに係合している。この構成により、連結部４０３および連結部２０４が重なるよう位置付けて配置することが可能となる。また、連結部４０３は前方側に凸なアーチ状であるため、ストロークのためのクリアランスを確保することができる。さらに、高い剛性を有する形状であるため、操作軸８の押圧操作に伴って加わる荷重によって変形しにくく、駆動部材４の長寿命化を図ることが可能となる。
【００４０】
取付部材１１は、ハウジング５における収納部５０３の開口部を閉じるように前方側からハウジング５に取り付けられる。この場合において、取付部材１１の保持脚片１１２は、ハウジング５の係合溝５０３ａおよび接点ケース２の係合溝２０２ａに沿って取り付けられ、保持片１１２ａが接点ケース２の後方側の面に形成された係合部２０２ｂと係合し、スナップ孔１１２ｂと爪部５０３ｂとがスナップ係合している。このような構成により、取付部材１１は、ハウジング５および接点ケース２を抱持している。
【００４１】
収納部５０３には回転体６が配設されている。回転体６は、後方側から操作軸８の基台部８０１を収容可能な形状を有しており、この基台部８０１に接触した状態あるいは当接可能に近接した状態で保持される。そして、回転体６の開口部６０１における内周面のうち係合溝６０２または凹部６０３が形成されていない部分と、基台部８０１の前方側の面とが当接することで、操作軸８の前方側への移動が制限されている。このとき、回転体６の後方側の面は、導電パターン５０６と対向配置されており、回転体６の後方側の面に固着された摺動子片７の接片７０１がこの導電パターン５０６に接触するように構成されている。そして、このように配設された回転体６の前方側に、ローラ１０を保持した板ばね９が取り付けられる。この場合において、ローラ１０は、その外周面を回転体６のクリックカム６０４に接触させた状態で板ばね９に保持されている。なお、板ばね９は、一対の取付部９０３が取付部材１１の対向する２本の係合脚片１１３に位置決めされるとともに、ローラ保持部９０２を変位可能な状態で、取付部材１１に固定されている。
【００４２】
このように構成された回転型電気部品１は、操作軸８に装着された図示しない操作つまみに対して回転操作および押圧操作が行われ、回転操作時には操作軸８が操作つまみと一体的に回転し、押圧操作時には操作軸８が操作つまみと一体的に軸線方向後方へ押し込まれる。
【００４３】
続いて、本実施の形態に係る回転型電気部品１の動作について説明する。操作者が操作つまみを介して操作軸８を回転操作すると、操作軸８にスプライン結合された回転体６が操作軸８とともに回転する。このとき、回転体６に固着された摺動子片７の接片７０１が、ハウジング５における導電パターン５０６を摺動することにより、回転方向および回転角度に則した所望の検出信号が外部端子５０６ａから出力される。この場合において、回転体６が回転すると、クリックカム６０４に接触した状態で保持されているローラ１０がクリックカム６０４に対して係脱してクリック感触が生起されるため、操作者は回転操作に伴う操作感を得ることが可能となる。
【００４４】
一方、操作者が操作つまみを介して操作軸８を軸線方向に押圧操作すると、操作軸８の後方側への移動に伴って駆動部材４も後方側に移動する。この場合には、駆動部材４における凸部４０４が、操作軸８における基台部８０１の後方側の面に押圧される。凸部４０４は各連結部４０３に対応した位置に設けられているため、凸部４０４から駆動部４０２へ押圧力を確実に伝達することが可能となる。また、駆動部材４全体をバランス良く操作軸８の軸線方向に対して移動させることができるため、駆動部材４の一部のみに負荷がかかることがなくなり、駆動部材４の長寿命化を図ることが可能となる。また、駆動部４０２全体でプッシュスイッチを押圧することができるため、プッシュスイッチを確実に駆動させることが可能となる。
【００４５】
駆動部材４が後方側に移動すると、押圧部４０６により可動接点３におけるメタルコンタクト３０１が押圧される。そして、一定位置以上にメタルコンタクト３０１が押圧されると、これが反転し、メタルコンタクト３０１の後方側の中央部が中央固定接点２０７と接触する。これにより、メタルコンタクト３０１と中央固定接点２０７および外部固定接点２０８とが導通状態となり、外部接続部２０９ａからオン信号が出力される。そして、操作軸８に対する押圧操作が解除されると、メタルコンタクト３０１の弾性復帰力により駆動部材４が前方側へ付勢され、メタルコンタクト３０１を介した中央固定接点２０７と外部固定接点２０８との導通状態が解除される。これにより、外部接続部２０９ａからオフ信号が出力される。この場合において、メタルコンタクト３０１が反転または復帰するとクリック感触が生起されるため、操作者は押圧操作に伴う操作感を得ることが可能となる。
【００４６】
以上説明したように、本実施の形態に係る回転型電気部品１においては、駆動部材４における駆動部４０２と対向して、可動接点３と、中央固定接点２０７および外部固定接点２０８とで構成されるプッシュスイッチが１つだけ配置されているため、押圧操作の際にクリック感触が重複することなく、操作者が良好な操作感を得ることが可能となる。また、駆動部材４における複数の連結部４０３は互いに離間しているため、中空状のハウジング５における軸受け部５０２の内周側に駆動部材４を設けたとしても、回転型電気部品１が実装されるプリント基板における連結部４０３間に対応する位置に、照光用の発光ダイオードや他の電子部品を配置することができ、電子部品の実装自由度を向上することが可能となる。
【００４７】
また、プッシュスイッチを回転型電気部品１に内蔵することができるので、回転型電気部品１の取り扱いを容易にすることが可能となる。
【００４８】
（第２の実施の形態）
第２の実施の形態に係る回転型電気部品２０は、ハウジングの構成、駆動部材の構成およびプッシュスイッチの構成が異なる点で第１の実施の形態に係る回転型電気部品１と相違する。以下、第２の実施の形態に係る回転型電気部品２０の構成について、第１の実施の形態に係る回転型電気部品１との相違点を中心に説明する。なお、第２の実施の形態に係る回転型電気部品２０において、第１の実施の形態に係る回転型電気部品１と同一の構成については、同一の符号を付してその説明を省略する。
【００４９】
図６は、本発明の一実施の形態に係る回転型電気部品２０を前方から見たときの分解斜視図である。図７は、本実施の形態に係る回転型電気部品２０を後方から見たときの分解斜視図である。図６に示すように、本実施の形態に係る回転型電気部品２０は、プッシュスイッチを押圧駆動する駆動部材１２および弾性部材１３と、ハウジングを構成する第１ケース１４および第２ケース１５と、操作軸８にスプライン結合する回転体６と、回転体６の後方面に取り付けられた一対の摺動子片７と、軸受け部１４２の外周部に回転可能に保持される操作軸８と、一対のローラ１０を保持して回転体６に弾接させる板ばね９と、第１ケース１４および第２ケース１５を抱持する取付部材１１と、を含んで構成される。
【００５０】
駆動部材１２は、合成樹脂などの絶縁体で形成され、概して環状をなしている。駆動部材１２は、概して円環形状を有する基部１２１と、基部１２１の中心に設けられた略円柱状の駆動部１２２と、基部１２１および駆動部１２２を連結する前方側に凸なアーチ状の連結部１２３と、から構成される。連結部１２３は、駆動部１２２の周方向に略等間隔に複数本（本実施の形態において４本）形成されている。このように、駆動部材１２における複数の連結部１２３は互いに離間しているため、後述する第１ケース１４における中空状の軸受け部１４２の内周側に駆動部材１２を設けたとしても、回転型電気部品２０が実装されるプリント基板１６の連結部１２３間に対応する位置に、照光用の発光ダイオードや他の電子部品を配置することができ、電子部品の実装自由度を向上することが可能となる。基部１２１の前方側内周において、連結部１２３に対応する位置には、それぞれ前方側に突出する凸部１２４が形成されている。基部１２１の外周には、径方向外側に突出する凸部１２５および径方向内側に凹形状の係合部１２６が形成されている。凸部１２５は、第１ケース１４における径方向外側に凹形状の係合部１４６と軸線方向に移動可能な状態でスナップ係合する。また、係合部１２６は、第１ケース１４における径方向内側に凸形状の係合部１４７と軸線方向に移動可能に係合する。この構成により、駆動部材１２は、操作軸８の回転操作に伴って回転しないよう、回転規制されるとともに、操作軸８の回転軸線方向への移動は許容される。一方、駆動部１２２の後方側には、弾性部材１３をはめ込むための略円柱状の凹部１２７および凹部１２７の中心に位置する略円柱状の押圧部１２８が形成されている（図７参照）。押圧部１２８は、駆動部１２２の後端部より後方に突出している。
【００５１】
弾性部材１３は、例えば弾性ゴムで形成され、概して円柱形状をしている。弾性部材１３には前面側に開口部を有する孔１３１が設けられている。弾性部材１３は、駆動部材１２に設けられた凹部１２７にはめ込まれるため、その外径は凹部１２７の内径と略同径に構成されている。また、孔１３１の内径は、押圧部１２８の外径と略同径に構成されている。弾性部材１３の後端部には、略平面円形状の押圧部１３２が設けられている（図７参照）。
【００５２】
第１ケース１４は、合成樹脂などの絶縁体で形成され、中央に前後方向に貫通した中空状の貫通孔１４１が設けられている。貫通孔１４１の前方側の外側面は略円筒形状の軸受け部１４２を構成する一方、貫通孔１４１の後方側の外側面には後方側が開口された環状の収納部１４３が設けられている。収納部１４３の外周壁部には、取付部材１１の保持脚片１１２と係合する複数本（本実施の形態において４本）の係合溝１４３ａが設けられている。貫通孔１４１の周囲には、駆動部材１２の凸部１２４が挿通される挿通孔１４４が形成されている。また、第１ケース１４の後方側であって、貫通孔１４１の周囲には、後方側に突出する係止片１４５が形成されている（図７参照）。係止片１４５は、それぞれ挿通孔１４４に隣接して設けられている。係止片１４５の後端部は、収納部１４３の側壁部後端部よりさらに後方に突出している。係止片１４５には、その中央位置に矩形状の溝部１４５ａが形成されている。この溝部１４５ａには、駆動部材１２の連結部１２３がはめ込まれる。また、収納部１４３の外側内壁には、中央位置に溝部が形成された略Ｕ字形状の係合部１４６が形成されている。係合部１４６は、駆動部材１２における凸部１２５とスナップ係合するほか、その後端部が取付部材１１における保持脚片１１２の保持片１１２ａと係合する。また、収納部１４３の外側内壁から径方向内側に向かって延出し、その内側先端部に後方側に突出する凸部が設けられた係合部１４７が形成されている。係合部１４７は、駆動部材１２における係合部１２６と係合する。
【００５３】
第２ケース１５は、合成樹脂などの絶縁体で形成され、第１ケース１４における収納部１４３と略同一の外径を有する。第２ケース１５は、第１ケース１４の前方側に重ね合わされた状態で配設される。第２ケース１５は、中空状の略円筒状に形成され、中央に挿通孔１５１を有する。この挿通孔１５１の内径は、第１ケース１４における軸受け部１４２の外径と略同径に構成されている。また、挿通孔１５１の外側に、有底状で前方側が開口された環状の収納部１５２が設けられている。収納部１５２の外周壁部には、取付部材１１の保持脚片１１２と係合する複数本（本実施の形態において４本）の係合溝１５２ａが設けられている。係合溝１５２ａの後方側には、径方向外側に突出する爪部１５２ｂが設けられている。爪部１５２ｂは、保持脚片１１２のスナップ孔１１２ｂとスナップ係合する。また、収納部１５２の内底面には、導電性の金属板からなる導電パターン１５３が埋設されている。また、第２ケース１５の後方側には、この導電パターン１５３から導出された外部端子１５３ａが延出している。
【００５４】
このような構成の回転型電気部品２０は、第１ケース１４および第２ケース１５から構成されるハウジングが搭載されるプリント基板１６に実装されたプッシュスイッチ１７を押圧駆動する。プリント基板１６には、回転型電気部品２０における外部端子１５３ａや係合脚片１１３を挿通するための複数個の挿通孔１６１が形成されている。
【００５５】
続いて、本実施の形態に係る回転型電気部品２０を組み立てた状態について説明する。図８は、本実施の形態に係る回転型電気部品２０を組み立てた状態の斜視図である。図９は、本実施の形態に係る回転型電気部品２０を組み立てた状態の断面図である。なお、図８、図９においては、操作軸８に操作を受けていない初期状態の回転型電気部品２０がプリント基板１６に実装された状態について示している。
【００５６】
図８に示すように、このような構成の回転型電気部品２０を組み立てると、第１ケース１４の前面側に第２ケース１５が重ね合わされ、第１ケース１４および第２ケース１５で構成されるハウジングに操作軸８を収容した状態で第２ケース１５の前面側から取付部材１１が取り付けられる。この場合において、第１ケース１４の収納部１４３には、弾性部材１３を取り付けた駆動部材１２が収容されている。一方、第２ケース１５の収納部１５２には、回転体６および板ばね９が収容されている。操作軸８の軸部８０２は、取付部材１１の挿通孔１１４から前方側に向けて露出した状態となっている。取付部材１１の保持脚片１１２は、第２ケース１５の係合溝１５２ａおよび第１ケース１４の係合溝１４３ａと係合し、スナップ孔１１２ｂと爪部１５２ｂとがスナップ係合している。また、係合脚片１１３は、プリント基板１６に形成された挿通孔１６１に挿通され、プリント基板１６の後方面から突出した状態となっている。
【００５７】
図９においては、駆動部材１２における連結部１２３に沿って切断した場合の断面図を示している。また、図９においては、同図に示す右方側が回転型電気部品２０の後方側に対応し、同図に示す左方側が回転型電気部品２０の前方側に対応する。
【００５８】
図９に示すように、回転型電気部品２０は、第１ケース１４の後方側に突出する係止片１４５の後端部がプリント基板１６に当接する状態で搭載される。これにより、押圧操作に伴って駆動部材１２が操作軸８の軸線方向に往復動するためのクリアランスが確保される。第１ケース１４における収納部１４３には、弾性部材１３が取り付けられた駆動部材１２が配設されている。駆動部材１２の後方側（図９に示す右方側）には、押圧部１３２に対向してプリント基板１６に実装されたプッシュスイッチ１７が配置されている。これにより、押圧部１３２がプッシュスイッチ１７に荷重を加えてプッシュスイッチ１７に与圧を掛けることができ、実装時のがたつきを防止することが可能となる。
【００５９】
前方側（図９に示す左方側）に突出する駆動部材１２の凸部１２４は、第１ケース１４における挿通孔１４４に挿通され、その前端部が操作軸８における基台部８０１の後方側の面と当接している。この駆動部材１２において凸部１２４のみが操作軸８と当接するという構成により、操作軸８に対する回転操作時において、回転する操作軸８と駆動部材１２における基部１２１との摺接面積を減らすことができ、回転トルクへの影響を低減させることが可能となる。また、基部１２１の径方向外側（図９に示す上下方向）に突出する凸部１２５は、係合部１４６の溝部にスナップ係合され、その前方側の面が収納部１４３の後方側の底部（ハウジングの底壁部）と当接している。この底壁部は、駆動部材１２の受け部材を構成している。すなわち、駆動部材１２の前方側への動き（操作軸８の軸線方向の動き）は、底壁部からなる受け部材によって規制（制限）されている。また、連結部１２３の径方向外側端部は、第１ケース１４における係止片１４５に形成された溝部１４５ａに係合している。連結部１２３は前方側に凸なアーチ状であるため、ストロークのためのクリアランスを確保することができる。さらに、高い剛性を有する形状であるため、操作軸８の押圧操作に伴って加わる荷重によって変形しにくく、駆動部材１２の長寿命化を図ることが可能となる。
【００６０】
取付部材１１は、第２ケース１５における収納部１５２の開口部を閉じるように前方側からハウジングに取り付けられる。この場合において、取付部材１１の保持脚片１１２は、第２ケース１５の係合溝１５２ａおよび第１ケース１４の係合溝１４３ａに沿って取り付けられている。このとき、保持片１１２ａは、第１ケース１４の係合部１４６の後端部と係合する。すなわち、駆動部材１２の後方側への動きは、保持片１１２ａによって規制されている。この構成により、部品点数を増やすことなく、駆動部材１２の脱落を防止することが可能となる。また、保持脚片１１２に形成されたスナップ孔１１２ｂは、爪部１５２ｂとスナップ係合している。このような構成により、取付部材１１は、第１ケース１４および第２ケース１５からなるハウジング全体を抱持している。
【００６１】
収納部１５２には回転体６が配設されている。回転体６は、後方側から操作軸８の基台部８０１を収容可能な形状を有しており、この基台部８０１に接触した状態あるいは当接可能に近接した状態で保持される。そして、回転体６の開口部６０１における内周面のうち係合溝６０２または凹部６０３が形成されていない部分と、基台部８０１の前方側の面とが当接することで、操作軸８の前方側への移動が制限されている。このとき、回転体６の後方側の面は、導電パターン１５３と対向配置されており、回転体６の後方側の面に固着された摺動子片７の接片７０１がこの導電パターン１５３に接触するように構成されている。そして、このように配設された回転体６の前方側に、ローラ１０を保持した板ばね９が取り付けられる。この場合において、ローラ１０は、その外周面を回転体６のクリックカム６０４に接触させた状態で板ばね９に保持されている。なお、板ばね９は、一対の取付部９０３が取付部材１１の対向する２本の係合脚片１１３に位置決めされるとともに、ローラ保持部９０２を変位可能な状態で、取付部材１１に固定されている。また、板ばね９は、駆動部材１２における基部１２１を、回転体６および操作軸８における基台部８０１を介して押圧操作方向へ付勢している。この場合には、板ばね９によって、駆動部１２２の先端に取り付けられた弾性部材１３がプッシュスイッチ１７に加える荷重を調整することができ、プッシュスイッチ１７に所望の荷重を加えることが可能となる。これにより、実装時のがたつきを効果的に防止することが可能となる。
【００６２】
このように構成された回転型電気部品２０は、操作軸８に装着された図示しない操作つまみに対して回転操作および押圧操作が行われ、回転操作時には操作軸８が操作つまみと一体的に回転し、押圧操作時には操作軸８が操作つまみと一体的に軸線方向後方へ押し込まれる。
【００６３】
続いて、本実施の形態に係る回転型電気部品２０の動作について説明する。操作者が操作つまみを介して操作軸８を回転操作すると、操作軸８にスプライン結合された回転体６が操作軸８とともに回転する。このとき、回転体６に固着された摺動子片７の接片７０１が、第２ケース１５における導電パターン１５３を摺動することにより、回転方向および回転角度に則した所望の検出信号が外部端子１５３ａから出力される。この場合において、回転体６が回転すると、クリックカム６０４に接触した状態で保持されているローラ１０がクリックカム６０４に対して係脱してクリック感触が生起されるため、操作者は回転操作に伴う操作感を得ることが可能となる。
【００６４】
一方、操作者が操作つまみを介して操作軸８を軸線方向へ押圧操作すると、操作軸８の後方側への移動に伴って駆動部材１２も後方側に移動する。この場合には、駆動部材１２における凸部１２４が、操作軸８における基台部８０１の後方側の面に押圧される。凸部１２４は各連結部１２３に対応した位置に設けられているため、凸部１２４から駆動部１２２への押圧力を確実に伝達することが可能となる。また、駆動部材１２全体をバランス良く操作軸８の軸線方向に対して移動させることができるため、駆動部材１２の一部のみに負荷がかかることがなくなり、駆動部材１２の長寿命化を図ることが可能となる。また、駆動部１２２全体でプッシュスイッチ１７を押圧することができるため、プッシュスイッチ１７を確実に駆動させることが可能となる。
【００６５】
駆動部材１２が後方側に移動すると、押圧部１３２によりプッシュスイッチ１７が押圧されてオン状態となる。そして、操作軸８に対する押圧操作が解除されると、プッシュスイッチ１７の復帰力により駆動部材１２が前方側へ付勢され、プッシュスイッチ１７のオン状態が解除される。この場合において、プッシュスイッチ１７を押圧または復帰するとクリック感触が生起されるため、操作者は押圧操作に伴う操作感を得ることが可能となる。
【００６６】
以上説明したように、本実施の形態に係る回転型電気部品２０においては、駆動部材１２における駆動部１２２と対向して、プッシュスイッチ１７が１つだけ配置されているため、押圧操作の際にクリック感触が重複することなく、操作者が良好な操作感を得ることが可能となる。また、駆動部材１２における複数の連結部１２３は互いに離間しているため、中空状の第１ケース１４における軸受け部１４２の内周側に駆動部材１２を設けたとしても、回転型電気部品２０が実装されるプリント基板１６における連結部１２３間に対応する位置に、照光用の発光ダイオードや他の電子部品を配置することができ、電子部品の実装自由度を向上することが可能となる。
【００６７】
また、プッシュスイッチ１７は回転型電気部品２０とは別部材となるため、プッシュスイッチ１７を変更することにより、感触違いや作動力違いなどのバラエティ対応を容易にすることが可能となる。
【００６８】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【００６９】
例えば、第１の実施の形態においては、駆動部材４における基部４０１が円周の一部を構成する弧形状を有し互いに分離している構成について説明しているが、この構成に限定されず、適宜変更が可能である。例えば、駆動部材４における基部４０１は、円周部全体、すなわち概して円環形状を有する構成であってもよい。同様に、第２の実施の形態においては、駆動部材１２における基部１２１が円周部全体、すなわち概して円環形状を有する構成について説明しているが、この構成に限定されず、適宜変更が可能である。例えば、駆動部材１２における基部１２１は、円周の一部を構成する弧形状を有し互いに分離している構成であってもよい。
【００７０】
また、第２の実施の形態においては、ハウジングが別部材である第１ケース１４および第２ケース１５から構成される構成について説明しているが、この構成に限定されず、適宜変更が可能である。例えば、ハウジングは、第１ケース１４および第２ケース１５が一体化した構成であってもよい。
【００７１】
また、第２の実施の形態においては、駆動部材１２の駆動部１２２に弾性部材１３を取り付けた構成について説明しているが、この構成に限定されず、弾性部材１３を用いずに駆動部材１２の押圧部１２８がプッシュスイッチ１７を直接押圧する構成であってもよい。また、押圧部１２８あるいは押圧部１３２とプッシュスイッチ１７とのガタツキを抑えるための板ばね等からなる付勢部材を、第１ケース１４（ハウジング）の収納部１４３に設けて、この付勢部材により、駆動部材１２の基部１２１が押圧操作方向へ付勢されるようにしてもよい。
【符号の説明】
【００７２】
１  回転型電気部品
２  接点ケース
２０１  外周部
２０２  側壁部
２０２ａ  係合溝
２０２ｂ  係合部
２０３  接点保持部
２０４  連結部（第２連結部）
２０５  収容凹部
２０６  凸部
２０７  中央固定接点
２０８  外部固定接点
２０９  リード端子
２０９ａ  外部接続部
３  可動接点
３０１  メタルコンタクト
３０２  シール
４  駆動部材
４０１  基部
４０２  駆動部
４０３  連結部
４０４  凸部
４０５  係合部
４０６  押圧部
５  ハウジング
５０１  貫通孔
５０２  軸受け部
５０３  収納部
５０３ａ  係合溝
５０３ｂ  爪部
５０４  挿通孔
５０５  係止片
５０５ａ，５０５ｂ  溝部
５０６  導電パターン
５０６ａ  外部端子
６  回転体
６０１  開口部
６０２  係合溝
６０３  凹部
６０４  クリックカム
７  摺動子片
７０１  接片
８  操作軸
８０１  基台部
８０２  軸部
８０３  挿通孔
８０４  ガイド片
８０５  係合片
８０６  爪部
９  板ばね
９０１  挿通孔
９０２  ローラ保持部
９０３  取付部
１０  ローラ
１０１  シャフト
１１  取付部材
１１１  上板部
１１２  保持脚片
１１２ａ  保持片
１１２ｂ  スナップ孔
１１３  係合脚片
１１４  挿通孔
２０  回転型電気部品
１２  駆動部材
１２１  基部
１２２  駆動部
１２３  連結部
１２４，１２５  凸部
１２６  係合部
１２７  凹部
１２８  押圧部
１３  弾性部材
１３１  孔
１３２  押圧部
１４  第１ケース
１４１  貫通孔
１４２  軸受け部
１４３  収納部
１４３ａ  係合溝
１４４  挿通孔
１４５  係止片
１４５ａ  溝部
１４６，１４７  係合部
１５  第２ケース
１５１  挿通孔
１５２  収納部
１５２ａ  係合溝
１５２ｂ  爪部
１５３  導電パターン
１５３ａ  外部端子
１６  プリント基板
１６１  挿通孔
１７  プッシュスイッチ
【図１】
0005819130.tif 000002
【図２】
0005819130.tif 000003
【図３】
0005819130.tif 000004
【図４】
0005819130.tif 000005
【図５】
0005819130.tif 000006
【図６】
0005819130.tif 000007
【図７】
0005819130.tif 000008
【図８】
0005819130.tif 000009
【図９】
0005819130.tif 000010